(57)【要約】      （修正有）【課題】導入が容易で利用者にとって利用し易いシート製品を提供する。【解決手段】箱２０と、箱２０に収容された複数のシート４０と、を備えたシート製品１０であって、シート４０は、おむつ交換時におむつ交換場所に敷く使い捨てシートであり、箱２０には、シート４０を取り出すための開口３５が形成されている。【選択図】図１
2019123523.tif 000002
【特許請求の範囲】
【請求項１】
箱と、
前記箱に収容された複数のシートと、を備え、
前記シートは、おむつ交換時におむつ交換場所に敷く使い捨てシートであり、
前記箱には、前記シートを取り出すための開口が形成されている、シート製品。
【請求項２】
前記開口は前記箱の正面に設けられている、請求項１に記載のシート製品。
【請求項３】
前記開口は前記箱の天面にまで延びている、請求項２に記載のシート製品。
【請求項４】
前記箱の正面は、前記箱の底面に対して傾斜している、請求項２または３に記載のシート製品。
【請求項５】
前記箱の背面には、スタンドが設けられている、請求項１〜４のいずれか一項に記載のシート製品。
【請求項６】
前記複数のシートは、包装袋で包装されて前記箱に収容されており、
前記包装袋は、当該包装袋の前記開口により露出する部分を除去することができるよう、切れ目を有している、請求項１〜５のいずれか一項に記載のシート製品。
【請求項７】
前記箱は、前記複数のシートと前記複数のシートを包装した前記包装袋とを有する包装体を複数収容可能である、請求項６に記載のシート製品。
【請求項８】
箱と、
複数のシートと前記複数のシートを包装した包装袋とを有する複数の包装体と、を備え、
前記シートは、おむつ交換時におむつ交換場所に敷く使い捨てシートであり、
前記箱は、前記包装体を１つまたは複数収容可能であり、
前記箱には、前記シートを取り出すための開口が形成されており、
前記複数の包装体の数は、前記箱に収容可能な包装体の数よりも多い、詰め替えシート付シート製品。
【請求項９】
前記箱及び前記複数の包装体を収容する収容体を更に備える、請求項８に記載の詰め替えシート付シート製品。
【発明の詳細な説明】
【技術分野】
【０００１】
本発明は、シート製品および詰め替えシート付シート製品に関する。
【背景技術】
【０００２】
従来、商業施設または公共施設等の洗面所や化粧室等に、商業施設や公共施設等の利用者が乳幼児のおむつ交換を行うことができるおむつ交換台が設けられている。さらに、近年では、おむつ交換台だけでなく、おむつ交換台に敷くための使い捨てのシートを収容したシートホルダが壁面に設置された洗面所や化粧室等が増えつつある。使い捨てのシートは、特許文献１に示すような、防水性のシート材を含んでいる。このようなシートを、不特定多数の者が利用するおむつ交換台の上に敷くことにより、おむつ交換台の汚れが乳幼児に付着することを防止することができ、また、おむつ交換台を介した感染症を予防することができる。また、乳幼児の排泄した便や尿によっておむつ交換台が汚れることを防止することができる。このため、利用者は安心して乳幼児のおむつ交換を行うことができる。なお、シートがシートホルダ内に収容されることにより、シートにほこり等が付着することが防止される。このため、シートだけではなく、上述のようなシートとシートホルダとを含むシート製品の普及が望まれる。
【先行技術文献】
【特許文献】
【０００３】
【特許文献１】特開２００２−２４８１２６号公報
【発明の概要】
【発明が解決しようとする課題】
【０００４】
しかしながら、シートホルダが洗面所や化粧室等の壁面に固定されるシート製品は、洗面所や化粧室等のレイアウトの都合上、設置が困難である場合がある。また、シート製品を設置するために壁面にボルト孔を設けることが敬遠される場合もある。このような理由により、上述のようなシートとシートホルダとを含むシート製品は、広く導入されるに至っていない。
【０００５】
さらに、上述のようなシート製品は、洗面所や化粧室等のレイアウトの都合上、おむつ交換台から離れた位置に設置されることが多い。シート製品がおむつ交換台から離れた位置に固定されている場合、利用者はシート製品が設置されている場所までシートを取りに行かなければならず、乳幼児やその他の荷物をかかえた利用者にとって、大きな負担を伴うものとなっていた。
【０００６】
本開示の実施形態は、以上の点を考慮してなされたものであり、導入が容易で利用者にとって利用しやすいシート製品を提供することを目的とする。
【課題を解決するための手段】
【０００７】
本発明によるシート製品の一態様は、
箱と、
前記箱に収容された複数のシートと、を備え、
前記シートは、おむつ交換時におむつ交換場所に敷く使い捨てシートであり、
前記箱には、前記シートを取り出すための開口が形成されている。
【０００８】
本発明によるシート製品において、前記開口は前記箱の正面に設けられていてもよい。この場合、前記開口は前記箱の天面にまで延びていてもよい。また、前記箱の正面は、前記箱の底面に対して傾斜していてもよい。
【０００９】
また、本発明によるシート製品において、前記箱の背面には、スタンドが設けられていてもよい。
【００１０】
また、本発明によるシート製品において、前記複数のシートは、包装袋で包装されて前記箱に収容されており、
前記包装袋は、当該包装袋の前記開口により露出する部分を除去することができるよう、切れ目を有していてもよい。
【００１１】
この場合、前記箱は、前記複数のシートと前記複数のシートを包装した前記包装袋とを有する包装体を複数収容可能であってもよい。
【００１２】
また、本発明による詰め替えシート付シート製品の一態様は、
箱と、
複数のシートと前記複数のシートを包装した包装袋とを有する複数の包装体と、を備え、
前記シートは、おむつ交換時におむつ交換場所に敷く使い捨てシートであり、
前記箱は、前記包装体を１つまたは複数収容可能であり、
前記箱には、前記シートを取り出すための開口が形成されており、
前記複数の包装体の数は、前記箱に収容可能な包装体の数よりも多い。
【００１３】
本発明による詰め替えシート付シート製品は、前記箱及び前記複数の包装体を収容する収容体を更に備えていてもよい。
【発明の効果】
【００１４】
本発明によるシート製品は、導入が容易であり、利用者にとって利用しやすい位置に移動させることができる。また、本発明によるシート製品および詰め替えシート付シート製品によれば、シート製品の導入が促進される。
【図面の簡単な説明】
【００１５】
【図１】本発明の一実施の形態を説明する図であって、使用状態にあるシート製品を正面側から見た斜視図。
【図２】図１に示すシート製品を背面側から見た斜視図。
【図３】図１および図２に示すシート製品の側面図。
【図４】図１乃至図３に示すシート製品の箱の展開図。
【図５】図４に示す箱に収容される、複数のシートと複数のシートを包装する包装袋とを有する包装体の斜視図。
【図６】使用が開始される前のシート製品を示す斜視図。
【図７】図６に示すシート製品と詰め替え用の包装体とを含む詰め替えシート付シート製品の側面図。
【発明を実施するための形態】
【００１６】
以下、図面を参照して本発明の一実施の形態について説明する。
【００１７】
図１乃至図３は、本発明によるシート製品（シート付箱）の一実施の形態を説明するための図である。図１乃至図３は、使用状態におけるシート製品１０を示しており、それぞれ、シート製品１０を正面側から見た斜視図、背面側から見た斜視図および側面図である。なお、図１乃至図３では、明確化のため、後述する糊付け片２７や折り込み片２８、舌部２９、折り込み片３６等の図示は省略されている。
【００１８】
図１乃至図３に示すように、シート製品１０は、箱２０と、箱２０に収容された複数のシート４０と、を備えている。シート４０は、子供のおむつを交換する際におむつ交換場所（例えば、おむつ交換台や床、車の座席等）に敷く使い捨てシートである。シート４０を収容する箱２０は、図示の例では紙製であるが、これに限られず、例えばプラスチック製であってもよい。シート製品１０は、おむつ交換場所あるいはその近傍（例えばおむつ交換台あるいはその近傍に設置された荷物置き台）に置いて使用される。このようなシート製品は、おむつ交換場所を有する部屋のレイアウト等によらず、導入することができる。また、当該部屋の壁面にシート製品１０を設置するためのボルト孔等を設ける必要が無い。さらに、シート製品１０は、固定されていないので、シート製品１０を利用する者（すなわちシート製品１０からシート４０を取り出す操作者）にとって利用しやすい位置（例えば操作者の手元）に移動させることができる。
【００１９】
まず、図１乃至図４を参照して、箱２０について説明する。図４は、箱２０の展開図の一例を示している。図４において、破線は折り曲げ線を示し、太線は切り込みを示す。
【００２０】
図１に示すように、図示の例では、箱２０は、全体として直方体であり、正面２１ｓと背面２２ｓと底面２３ｓと天面２４ｓと一対の側面２５ｓ,２６ｓとを有する。
【００２１】
なお、本明細書中において箱およびシート製品に対する「正面」、「背面」、「底面」、「天面」および「側面」の用語は、特に指示が無い場合、シート製品が使用状態にある場合において、シート製品からシートを取り出す操作者を基準として判断される「正面」、「背面」、「底面」、「天面」および「側面」を意味する。具体的には、箱の「正面」とは、操作者の側を向く面であり、図３において左側を向く面である。また、「背面」とは、操作者の側とは反対の側を向く面であり、図３において右側を向く面である。さらに、「底面」とは、シート製品が置かれる設置面に対向する面であり、図３において下側を向く面である。また、「天面」とは、前記設置面とは反対の側を向く面であり、図３において上側を向く面である。また、「側面」とは、「正面」、「背面」、「底面」および「天面」に接続する面であり、図３において紙面に垂直な方向を向く面である。また、本明細書中において箱に対する「内面」とは、箱が組み立てられた状態において、複数のシートを収容する収容空間側を向く面を意味し、「外面」とは収容空間とは逆側を向く面を意味する。
【００２２】
図１乃至図４に示すように、箱２０は、正面パネル２１と背面パネル２２と底面パネル２３と天面パネル２４と一対の側面パネル２５,２６とを含む。各パネル２１〜２６の外面が、それぞれ、箱２０の正面２１ｓ、背面２２ｓ、底面２３ｓ、天面２４ｓおよび一対の側面２５ｓ,２６ｓをなす。箱２０の設置面積を小さくするため、底面パネル２３は正面パネル２１や背面パネル２２よりも小さい。
【００２３】
なお、箱２０は、上述のパネル２１〜２６の他に、背面パネル２２から延び出す糊付け片２７を有する。糊付け片２７は、背面パネル２２の、側面２５ｓ,２６ｓに沿って延びる一対の縁部の一方２２ｆから延び出す。糊付け片２７は、箱２０が組み立てられた状態において、一方の側面パネル２５に糊付けされている。また、箱２０は、天面パネル２４、底面パネル２３および一対の側面パネル２５,２６の各々から延び出す複数の折り込み片２８を有する。折り込み片２８は、天面パネル２４の背面２２ｓ側の縁部２４ａ、底面パネル２３の正面２１ｓ側の縁部２３ｂ、並びに、側面パネル２５,２６の天面２４ｓ側の縁部２５ｃ,２６ｃおよび底面２３ｓ側の縁部２５ｄ,２６ｄから延び出す。折り込み片２８は、箱２０が組み立てられた状態において、箱２０の収容空間内に折り込まれている。また、天面パネル２１の背面２２ｓ側の縁部２４ａの中央には、切り込み２０ｙが形成されている。天面パネル２１の切り込み２０ｙには、背面パネル２２の天面２４ｓの側の縁部２２ｃの中央から延び出す舌部２９が挿入される。同様に、底面パネル２３の正面２１ｓ側の縁部２３ｂの中央には、切り込み２０ｙが形成されている。底面パネル２３の切り込み２０ｙには、正面パネル２１の底面２３ｓ側の縁部２１ｄの中央から延び出す舌部２９が挿入される。
【００２４】
上述のように、箱２０は、その底面２３ｓが正面２１ｓおよび背面２２ｓよりも小さい。このような箱２０を設置面Ｐ上に安定的に自立させるため、箱２０の背面２２ｓにはスタンド３０が設けられている。スタンド３０は、箱２０の背面２２ｓに接続した一対の板状の脚部３１,３２と、箱２０の背面２２ｓに接続し、一対の脚部３１,３２を背面２２ｓに対して略垂直な姿勢に保持する脚保持部３３と、を有する。図示の例では、スタンド３０は、次のようにして組み立てられる。まず、図４に示すように、背面パネル２２の底面２３ｓ側の半部には、一対の脚部３１,３２および脚保持部３３の輪郭に沿ったスタンド用切り込み３０ｙおよびスタンド用折り曲げ線３０ｘが設けられている。この背面パネル２２の切り込み３０ｙおよび折り曲げ線３０ｘによって囲まれた部分を、その外面側に引き起こして折り曲げ線３０ｘに沿って折り曲げる。その後、脚部３１,３２を脚保持部３３に係合させて、折り曲げた状態に保持する。このようにして、スタンド３０が組み立てられる。なお、スタンド３０は、シート製品１０の使用が開始されるとき、背面パネル２２から引き起こされて組み立てられる。このため、シート製品１０が使用状態にされる前は、箱２０の背面２２ｓが平らな状態でシート製品１０を輸送および保管することができる。
【００２５】
図１に示すように、箱２０には、箱２０の内部に収容されたシート４０を取り出すための開口３５が形成されている。図示の例では、開口３５は、箱２０の正面２１ｓに設けられている。これにより、操作者は、開口３５を通じて箱２０の内部からシート４０を容易に取り出すことができる。
【００２６】
ここで、一般に、おむつ交換台の近傍には、おむつ交換台と同様の高さの荷物置き台が設置されており、シート製品１０は、使用中、このような荷物置き台の上に配置されると考えられる。あるいは、子供を床に寝かせておむつ交換を行う場合は、シート製品１０は当該床の上に配置されると考えられる。これらの場合、シート製品１０は、使用中、操作者の肩よりも低い位置に配置される。したがって、操作者は、箱２０の斜め上方からシート製品１０を操作することになる。このような点を考慮して、図示の例では、開口３５は箱２０の天面２４ｓにまで延びている。これにより、操作者は、シート製品１０の斜め上方から開口３５を通じて箱２０内のシート４０に容易にアクセスすることができる。
【００２７】
図４から理解されるように、開口３５の縁部３５ｅからは複数の折り込み片３６が延び出している。折り込み片３６は、箱２０が組み立てられた状態において、箱２０の内側に折り込まれて、正面パネル２１あるいは天面パネル２４の内面に糊付けされている。これにより、開口３５の縁部３５ｅがなめらかになり、操作者の手やシート４０が当該縁部３５ｅに引っかかることが防止される。
【００２８】
さらに、図３および図４から理解されるように、箱２０の正面２１ｓは、底面２３ｓに対して傾斜している。このため、箱２０を設置面Ｐに置くと、箱２０の正面２１ｓは斜め上方を向く。これにより、操作者は、さらに容易に、シート製品１０の斜め上方から開口３５を通じて箱２０内のシート４０にアクセスすることができる。
【００２９】
次に、図１、図３、図５および図６を参照してシート４０および複数のシート４０を有する包装体４５について説明する。図５は、折り畳まれて重ねられた複数のシート４０と、複数のシート４０を包装する包装袋４１と、からなる包装体４５を示す斜視図である。図６は、使用が開始される前のシート製品１０を示す斜視図である。
【００３０】
まず、シート４０について説明する。シート４０は、上述のように、子供のおむつを交換する際におむつ交換場所（例えば、おむつ交換台や床、車の座席等）に敷く使い捨てシートである。図示の例では、シート４０は、ポリエチレンやポリプロピレン、ポリエステル、ナイロン等で作成されて、子供の排泄した便や尿の透過を防止するシート材と、パルプやコットンなどの肌触りの良い材料で作成されたシート材と、を積層してなる。便や尿の透過を防止するシート材を含むシート４０をおむつ交換場所に敷き、シート４０の上に子供を配置しておむつ交換を行うことにより、おむつ交換場所の汚れが子供に付着することを防止することができ、また、おむつ交換場所を介した感染症を予防することができる。また、子供の排泄した便や尿でおむつ交換場所が汚れることを防止することができる。さらに、肌触りの良い材料で作成されたシート材を上側にして当該シート材の上に子供を配置することにより、おむつ交換中、子供に快適な環境を提供することができる。
【００３１】
次に、図５を参照して、包装体４５について説明する。包装体４５は、複数のシート４０と、複数のシート４０を包装する包装袋４１と、を有する。複数のシート４０は、各々が箱２０の内寸（より具体的には正面２１ｓおよび背面２２ｓの寸法）に応じた寸法に折り畳まれて、重ねられ、包装袋４１で包装されている。このように、複数のシート４０が包装袋４１で包装されていることにより、包装体４５の輸送時や保管時に、シート４０を清潔に保つことができる。包装体４５は、シート製品１０の使用が開始されるとき、開封される。なお、図示の例では、包装袋４１は透明であり、包装袋４１を通して内部のシート４０を視認することができる。
【００３２】
図６に示すように、包装体４５は、箱２０に収容することができる。したがって、シート製品１０の使用が開始される前、シート４０が包装袋４１で包装された状態でシート製品１０を流通・保管することができる。これにより、シート製品１０の流通・保管の際、シート４０を清潔に保つことができる。
【００３３】
なお、図示の例では、箱２０は、包装体４５を複数（図６に示す例では２つ）収容可能である。ここで、図示の例では、シート製品１０は、後述のように、詰め替え用のシート４０を箱２０に補充しながら使用される。箱２０が包装体４５を複数収容することができるだけの十分な容積を有することにより、詰め替え用のシート４０を箱２０に補充する回数を減らすことができる。
【００３４】
図示の例では、包装袋４１に切れ目（図示の例ではミシン目）４２が設けられている。切れ目４２は、包装袋４１の上下方向Ｄの中央に設けられている。なお、包装袋４１の上下方向（並びに上側および下側）は、シート４０を包装した包装袋４１が図３に示すように設置面Ｐ上で自立した箱２０に収納された状態を基準として、判断される。図示の例では、包装袋４１の長手方向が包装袋４１の上下方向に一致する。包装袋４１の上下方向Ｄの中央に設けられた切れ目４２によって、包装袋４１の上側の半部４１ｍ（箱２０に収容された際に開口３５によって露出する部分）を除去して、包装袋４１を開封することができる（図３参照）。
【００３５】
次に、図７を参照して、上述の箱２０と、上述の包装体４５を複数含む詰め替えシート付シート製品１００について説明する。詰め替えシート付シート製品１００は、箱２０と、箱２０に収容可能な包装体４５の数（図示の例では２つ）よりも多い数の包装体４５と、を含む。図示の例では、詰め替えシート付シート製品１００に含まれる複数の包装体４５は、箱２０に収容された２つの包装体４５ｏ，４５ｐと、詰め替え用の２つの包装体４５ｑ，４５ｒである。このように、シート４０がシート４０を収容する箱２０と共に提供されることにより、シート４０を箱２０と共に使用することが（すなわちシート製品１０の導入が）促進される。なお、図示の例では、詰め替えシート付シート製品１００は、さらに、箱２０および複数の包装体４５を収容する収容体１１０を有する。箱２０および複数の包装体４５は、収容体１１０に収容されて、流通・保管される。
【００３６】
次に、詰め替えシート付シート製品１００およびシート製品１０の使用方法について説明する。以下では、図７に示すように、詰め替えシート付シート製品１００が、箱２０と、箱２０に収容された２つの包装体４５ｏ，４５ｐと、詰め替え用の２つの包装体４５ｑ，４５ｒと、を含む場合について説明する。図７から理解されるように、箱２０は、スタンド３０以外の部分が組み立てられている。
【００３７】
まず、シート製品１０の管理者は、箱２０のスタンド３０を組み立てる。具体的には、背面パネル２２から、一対の脚部３１,３２および脚保持部３３を引き起こし、図２および図３に示すように、脚保持部３３によって、一対の脚部３１,３２を、箱２０の背面２２ｓに対して略垂直な姿勢に保持する。これにより、箱２０を、設置面Ｐ上に安定して自立させることができるようになる。
【００３８】
また、箱２０内に収容された２つの包装体４５ｏ，４５ｐを、箱２０から取り出して開封する。具体的には、取り出した包装体４５ｏ，４５ｐの包装袋４１の上下方向Ｄの上側の半部４１ｍを、切れ目４２を利用して除去する。その後、開封した包装体４５ｏ，４５ｐを箱２０内に戻す。これにより、シート製品１０の操作者は、箱２０内の開封された包装体４５ｏ，４５ｐのシート４０に、開口３５を通じてアクセスすることができるようになる。以上により、シート製品１０は、使用状態にされる。
【００３９】
次に、シート製品１０の操作者は、開口３５を通じて箱２０内のシート４０を取り出し、おむつ交換場所に敷く。操作者は、箱２０からシート４０を取り出す前に、シート製品１０を操作しやすい位置（例えば操作者の手元）に移動させてもよい。
【００４０】
箱２０内の開封された包装体４５ｏ，４５ｐのシート４０が無くなると、シート製品１０の管理者は、詰め替え用の２つの包装体４５ｑ，４５ｒを開封し、箱２０内に補充する。これにより、再び、シート製品１０を利用することができるようになる。
【００４１】
以上に説明してきた上述の一実施の形態において、シート製品１０は、箱２０と、箱２０に収容された複数のシート４０と、を備えている。シート４０は、おむつ交換時におむつ交換場所に敷く使い捨てシートである。そして、箱２０には、シート４０を取り出すための開口３５が形成されている。
【００４２】
本実施の形態のシート製品１０によれば、シート４０は箱２０内に収容されているため、シート４０にほこり等が付着することを防ぐことができる。また、本実施の形態のシート製品１０は、おむつ交換場所（おむつ交換台等）が設けられた洗面所や洗面所等の壁面に固定する必要がないので、洗面所やベビー休憩室等のレイアウトによらず導入することができる。また、洗面所や洗面所等の壁面にシート製品１０を据え付けるためのボルト孔等を設ける必要がない。したがって、本実施の形態のシート製品１０は、導入しやすい。また、本実施の形態のシート製品１０は、移動させることができるので、操作者にとって扱いやすい。
【００４３】
また、上述した一実施の形態において、開口３５は箱２０の正面２１ｓに設けられている。この場合、操作者は、開口３５を通じて箱２０内のシート４０を容易に取り出すことができる。
【００４４】
とりわけ、上述した一実施の形態において、開口３５は箱２０の天面２４ｓにまで延びている。この場合、操作者は、箱２０の斜め上方から、箱２０内のシート４０を容易に取り出すことができる。
【００４５】
また、上述した一実施の形態において、箱２０の正面２１ｓは、箱２０の底面２３ｓに対して傾斜している。この場合、操作者は、更に容易に、箱２０の斜め上方から箱２０内のシート４０を取り出すことができる。
【００４６】
また、上述した一実施の形態において、箱２０の背面２２ｓには、スタンド３０が設けられている。この場合、箱２０の底面２３ｓが小さくても、箱２０を安定して自立させることができる。したがって、箱２０の底面２３ｓを小さくして、シート製品１０の設置面積を小さくすることができる。
【００４７】
また、上述した一実施の形態において、複数のシート４０は、包装袋４１で包装されて箱２０に収容されている。そして、包装袋４１は、当該包装袋４１の開口３５により露出する部分４１ｍを除去することができるよう、切れ目４２を有している。この場合、シート４０が包装袋４１で包装されているので、シート製品１０の流通・保管の際、シート４０を清潔な状態に維持することができる。また、包装袋４１が切れ目４２を有しているので、包装袋４１を簡単に開封することができる。
【００４８】
また、上述した一実施の形態において、箱２０は、複数のシート４０と複数のシート４０を包装した包装袋４１とを有する包装体４５を複数収容可能である。この場合、シート製品１０の使用中、シート４０を箱２０に補充する回数を低減させることができる。
【００４９】
また、本実施の形態の詰め替えシート付シート製品１００は、箱２０と、複数のシート４０と複数のシート４０を包装した包装袋４１とを有する複数の包装体４５と、を備えている。シート４０は、おむつ交換時におむつ交換場所に敷く使い捨てシートである。そして、箱２０は、包装体４５を１つまたは複数収容可能であり、箱２０には、シート４０を取り出すための開口３５が形成されている。また、複数の包装体４５の数は、箱２０に収容可能な包装体４５の数よりも多い。
【００５０】
本実施の形態の詰め替えシート付シート製品１００によれば、シート４０が当該シート４０を収容する箱２０と共に提供されるので、シート４０を箱２０に収納して使用することが促進される。すなわち、シート製品１０の導入が促進される。また、箱２０に収容可能な包装体４５の数よりも多い数の包装体４５が提供されるので、シート製品１０を、箱２０に包装体４５のシート４０を補充しながら長く使用することができる。このような詰め替えシート付シート製品１００は、箱２０及び複数の包装体４５を収容する収容体１１０を更に備えていてもよい。
【００５１】
以上において、一実施の形態を説明してきたが、本発明は上述の実施形態に限定されるものではなく、当業者が想到しうる種々の変形が加えられた各種態様も含みうるものであり、本開示によって奏される効果も上述の事項に限定されない。したがって、本開示の技術的思想及び趣旨を逸脱しない範囲で、特許請求の範囲及び明細書に記載される各要素に対して種々の追加、変更及び部分的削除が可能である。
【符号の説明】
【００５２】
１０  シート製品
２０  箱
２１ｓ  正面
２２ｓ  背面
２３ｓ  底面
２４ｓ  天面
３０  スタンド
３５  開口
４０  シート
４１  包装袋
４２  切れ目
４５  包装体
１００  詰め替えシート付シート製品
１１０  収容体
【図１】
2019123523.tif 000003
【図２】
2019123523.tif 000004
【図３】
2019123523.tif 000005
【図４】
2019123523.tif 000006
【図５】
2019123523.tif 000007
【図６】
2019123523.tif 000008
【図７】
2019123523.tif 000009